(57)【要約】【課題】空間が確保された５本指タイプ作業用手袋を提供する。【解決手段】空間が確保された５本指タイプ作業用手袋は、手の平部の下端に親指穴が裁断され、上端に指端が形成されており、上記指端から延びて前面人差指、背面人差指が一体に形成され、背面人差指の一側端に縫合端が形成された手の平皮と、背面中指、背面薬指、背面小指が一体に形成され、背面中指の一側端に縫合端が形成されて上記手の平皮の背面人差指の一側端の縫合端と縫合される手の甲皮と、前面中指、前面薬指、前面小指が一体に形成されて上記手の平皮の指端に縫合される指皮と、上記手の平皮の親指穴に縫合される親指帯とを備える。これにより、高熱や鋭い金属などをつかむか移動させる危険な作業現場で手を保護するために着用する作業用手袋の形態を、一体的な皮片の指皮の指数を２本から３本に増やして多様な形態に切断裁縫し、かつ背面指間の縫合点を移動させて製作することによって、指間に空間が確保されて指動きが自然であり、かつ背面の連結線が除去されてうっとうしい感じがなくなり作業能率を向上させうる。【選択図】      図１２Ｃ
2004204427.tif 000002
【特許請求の範囲】
【請求項１】
手袋の本体一側に親指、人差指、中指、薬指、小指を有する指部と手の平部とを形成し、他側に手をはめるための開口部を備える作業用手袋において、
前記手の平部の下端に親指穴が裁断され、上端に指端が形成されており、前記指端から延びて前面人差指、背面人差指が一体に形成され、前記背面人差指の一側端に縫合端が形成された手の平皮と、
背面中指、背面薬指、背面小指が一体に形成され、前記背面中指の一側端に縫合端が形成されて前記手の平皮の背面人差指の一側端の縫合端と縫合される手の甲皮と、
前面中指、前面薬指、前面小指が一体に形成されて前記手の平皮の指端に縫合される指皮と、
前記手の平皮の親指穴に縫合される親指帯とを備えることを特徴とする空間が確保された５本指タイプ作業用手袋。
【請求項２】
前記背面人差指、背面中指、背面薬指、背面小指間のいずれか一つ以上の背面縫合点を上方に移動させたことを特徴とする請求項１に記載の空間が確保された５本指タイプ作業用手袋。
【請求項３】
前記手の平皮の指端を前面人差指の上方に移動させ、指皮の切断線を内側に移動させて指の長さが短く形成されたことを特徴とする請求項２に記載の空間が確保された５本指タイプ作業用手袋。
【請求項４】
前記手の平皮と手の甲皮とが一体的な皮片に形成されたことを特徴とする請求項１に記載の空間が確保された５本指タイプ作業用手袋。
【請求項５】
背面人差指、背面中指、背面薬指、背面小指間のいずれか一つ以上の背面縫合点を上方に移動させたことを特徴とする請求項４に記載の空間が確保された５本指タイプ作業用手袋。
【請求項６】
手袋の本体一側に親指、人差指、中指、薬指、小指を有する指部と手の平部とを形成し、他側に手をはめるための開口部を備える作業用手袋において、
前記手の平部の下端に親指穴が形成され、上端に指端が形成されており、前記指端から延びて前面小指、背面小指、背面薬指、背面中指、背面人差指が順次形成された一体的な皮片と、
前面人差指、前面中指、前面薬指が順次形成されて前記一体的な皮片の指端に縫合される指皮と、
前記手の平皮の親指穴に縫合される親指皮とを備えることを特徴とする空間が確保された５本指タイプ作業用手袋。
【発明の詳細な説明】
【技術分野】
【０００１】
本発明は空間が確保された５本指タイプ作業用手袋に係り、より詳細には、高熱や鋭利な金属などを掴んだり、移動させる危険な作業現場で手を保護するために着用する作業用手袋の形態を、一体的な皮片の指皮の指数を２本から３本に増やして多様な形態に切断裁縫し、かつ背面指間の縫合点を移動させて製作することによって、指間に空間が確保されて指の動きが自由になり、かつ背面の連結線が除去されてうっとうしい感じがなくなり作業能率を向上させうる空間が確保された５本指タイプ作業用手袋に関する。
【背景技術】
【０００２】
一般的に作業用手袋は手型に形成された各部分を裁断して他端と裁縫することにより指をはめる空間を形成して作業中に手を保護するために着用するが、作業目的、状況により鋭い物または高温の物を掴んだり移動させることがあるが、そのためには防炎効果に優れた厚い材質の皮革製品として製作されている。
【０００３】
そして、作業用手袋は前面小指、前面人差指、背面人差指が裁断された手の平皮に中指、薬指が裁断された指皮を指型に折り込んで裁縫し、背面中指、背面薬指、背面小指が裁断された手の甲皮を上記裁縫された手の平皮と指皮の端と裁縫して製作される。
【発明の開示】
【発明が解決しようとする課題】
【０００４】
ところが、図１Ａ〜１Ｄに示されたように、従来の手袋は手の平皮と裁縫される指皮が中指、薬指だけで形成されるために、各指間の空間が一定となって指を動かす余裕空間が少ないために指がきちきちになり、長時間作業中には指が痛くなって手袋を完全に着用できずに半分抜いた状態で作業したりまたはしばらく手袋を脱ぐ動作を繰り返さなければならなかった。
【０００５】
そして、作業用手袋はいくつかの皮を裁縫することで製作されるために裁縫線が多く形成されるが、一般の手袋と違って厚くて荒いために長時間作業時には物をつかむ時に突出した裁縫線部分で手が擦り剥けて痛みを誘発し、かたい裁縫線のために指の動きが不自然になる問題点があった。
【０００６】
本発明は上記のような従来の問題点を解決するために提案されたものであって、その目的は、作業用手袋を形成するために前面指端、前面人差指、背面人差指、背面中指、背面薬指、背面小指を一体的な皮片に形成させ、前面中指、前面薬指に限定されていた指皮を前面中指、前面薬指、前面小指で形成させて指皮を２本から３本に増やして多様な形態にして一体的な皮片と裁縫して作業用手袋を製作することによって、中指、薬指に空間が限定されていることを中指、薬指、小指が空間を共有できるように空間を確保して各指間の余裕空間を生じ、指の動きが自由で、かつ指間のうっとうしい感じをなくした空間が確保された５本指タイプ作業用手袋を提供するところにある。
【課題を解決するための手段】
【０００７】
上記のような目的を達成するための本発明による空間が確保された５本指タイプ作業用手袋は、手袋の本体一側に親指、人差指、中指、薬指、小指を有する指部と手の平部とを形成し、他側に手をはめるための開口部を備える作業用手袋において、手の平部の下端に親指穴が裁断され、上端に指端が形成されており、指端から延びて前面人差指、背面人差指が一体に形成され、上記背面人差指の一側端に縫合端が形成された手の平皮と、背面中指、背面薬指、背面小指が一体に形成され、上記背面中指の一側端に縫合端が形成されていて上記手の平皮の背面人差指の一側端の縫合端と縫合される手の甲皮と、前面中指、前面薬指、前面小指が一体に形成されて上記手の平皮の指端に縫合される指皮と、上記手の平皮の親指穴に縫合される親指帯とを備えることを特徴とする。
【０００８】
また、本発明の望ましい一実施例による空間が確保された５本指タイプ作業用手袋は、背面人差指、背面中指、背面薬指、背面小指間のいずれか一つ以上の背面縫合点を上方に移動させてことが望ましい。
【０００９】
また、本発明の望ましい他の実施例による空間が確保された５本指タイプ作業用手袋は、手の平皮の指端を前面人差指の上方に移動させ、指皮の切断線を内側に移動させて指の長さが短く形成されたことが望ましい。
【００１０】
また、本発明の望ましいさらに他の実施例によれば、上記手の平皮と手の甲皮とが一体的な皮片に形成されたことが望ましい。
【００１１】
また、本発明の望ましいさらに他の実施例による空間が確保された５本指タイプ作業用手袋は、上記手の平皮と手の甲皮とが一体に形成された一体的な皮片に、背面人差指、背面中指、背面薬指、背面小指間のいずれか一つ以上の背面縫合点を上方に移動させてことがさらに望ましい。
【００１２】
また、本発明の望ましいさらに他の実施例による空間が確保された５本指タイプ作業用手袋は、手の平部の下端に親指穴が形成され、上端に指端が形成されており、上記指端から延びて前面小指、背面小指、背面薬指、背面中指、背面人差指が順次形成された一体的な皮片に、前面人差指、前面中指、前面薬指を順次形成して上記手の平皮の指端に縫合されることが望ましい。
【発明の効果】
【００１３】
本発明による空間が確保された５本指タイプ作業用手袋によれば、指端、前面人差指、背面人差指、背面中指、背面薬指、背面小指を一体的な皮片に形成し、前面中指、前面薬指に限定されていた指皮を前面中指、前面薬指、前面小指で形成して指皮を２本から３本に増やし、かつ多様な形態に形成して一体的な皮片と裁縫して作業用手袋を製作することによって中指、薬指に限定されていた空間を中指、薬指、小指が共有できる空間にして各指間の余裕空間を確保し、それにより指の動きが自由になり、かつ指間のうっとうしい感じをなくした、空間が確保された５本指タイプ作業用手袋を提供できる。
【発明を実施するための最良の形態】
【００１４】
以下、本発明の望ましい実施例による空間が確保された５本指タイプ作業用手袋を添付した図面に基づいて詳細に説明する。
【００１５】
図２Ａないし図２Ｄは、本発明に係る第１実施例の空間が確保された５本指タイプ作業用手袋を手の甲から見た図、手の平から見た図、裁断された状態での展開図、指皮の立体図であり、図３Ａないし図３Ｄは、本発明に係る第１実施例の縫合点Ａを移動させた構成を手の甲から見た図、手の平から見た図、裁断された状態での展開図、指皮の立体図であり、図４Ａないし図４Ｄは、本発明に係る第１実施例の縫合点Ｂを移動させた構成を手の甲から見た図、手の平から見た図、裁断された状態での展開図、指皮の立体図であり、図５Ａないし図５Ｄは、本発明に係る第１実施例の縫合点Ｃを移動させた構成を手の甲から見た図、手の平から見た図、裁断された状態での展開図、指皮の立体図であり、図６Ａないし図６Ｄは、本発明に係る第１実施例の縫合点Ａ、Ｂを移動させた構成を手の甲から見た図、手の平から見た図、裁断された状態での展開図、指皮の立体図であり、図７Ａないし図７Ｄは、本発明に係る第１実施例の縫合点Ｂ、Ｃを移動させた構成を手の甲から見た図、手の平から見た図、裁断された状態での展開図、指皮の立体図であり、図８Ａないし図８Ｄは、本発明に係る第１実施例の縫合点Ａ、Ｃを移動させた構成を手の甲から見た図、手の平から見た図、裁断された状態での展開図、指皮の立体図であり、図９Ａないし図９Ｄは、本発明に係る第１実施例の縫合点Ａ、Ｂ、Ｃを移動させた構成を手の甲から見た図、手の平から見た図、裁断された状態での展開図、指皮の立体図であり、図１０Ａないし図１０Ｄは、本発明に係る第２実施例の空間が確保された５本指タイプ作業用手袋を手の甲から見た図、手の平から見た図、裁断された状態での展開図、指皮の立体図であり、図１１Ａないし図１１Ｄは、本発明に係る第２実施例の空間が確保された５本指タイプ作業用手袋においてカウスを長くし、かつ親指帯がさらに付着された構成を手の甲から見た図、手の平から見た図、裁断された状態での展開図、指皮の立体図であり、図１２Ａないし図１２Ｄは、本発明に係る第３実施例の手の平皮と手の甲皮とが一体的な皮片に形成された５本指タイプ作業用手袋を手の甲から見た図、手の平から見た図、裁断された状態での展開図、指皮の立体図であり、図１３Ａないし図１３Ｄは、本発明に係る第３実施例の縫合点Ａを移動させた構成を手の甲から見た図、手の平から見た図、裁断された状態での展開図、指皮の立体図であり、図１４Ａないし図１４Ｄは、本発明に係る第３実施例の縫合点Ｂを移動させた構成を手の甲から見た図、手の平から見た図、裁断された状態での展開図、指皮の立体図であり、図１５Ａないし図１５Ｄは、本発明に係る第３実施例にの縫合点Ｃを移動させた構成を手の甲から見た図、手の平から見た図、裁断された状態での展開図、指皮の立体図であり、図１６Ａないし図１６Ｄは、本発明に係る第３実施例の縫合点Ａ、Ｂを移動させた構成を手の甲から見た図、手の平から見た図、裁断された状態での展開図、指皮の立体図であり、図１７Ａないし図１７Ｄは、本発明に係る第３実施例の縫合点Ｂ、Ｃを移動させた構成を手の甲から見た図、手の平から見た図、裁断された状態での展開図、指皮の立体図であり、図１８Ａないし図１８Ｄは、本発明に係る第３実施例の縫合点Ａ、Ｃを移動させた構成を手の甲から見た図、手の平から見た図、裁断された状態での展開図、指皮の立体図であり、図１９Ａないし図１９Ｄは、本発明に係る第３実施例の縫合点Ａ、Ｂ、Ｃを移動させた構成を手の甲から見た図、手の平から見た図、裁断された状態での展開図、指皮の立体図であり、図２０Ａないし図２０Ｄは、本発明に係る第４実施例の手の平皮と手の甲皮との一体的な皮片形態を変化させた５本指タイプ作業用手袋を手の甲から見た図、手の平から見た図、裁断された状態での展開図、指皮の立体図をそれぞれ示したものである。
【００１６】
図２Ａないし図２Ｄを参考すれば、本発明の第１実施例による空間が確保された５本指タイプ作業用手袋は大きく、手の平皮４００、手の甲皮３００、指皮５００、親指皮１４で構成される。
【００１７】
上記手の平皮４００は下端に親指穴１が形成され上端に指端１１が形成されており、上記指端１１から延びて前面人差指３、背面人差指４が一体に形成され、背面人差指４の側端に縫合端５が形成されている。
【００１８】
上記手の甲皮３００は背面中指１０、背面薬指９、背面小指８が一体に形成され、背面中指１０の側端に縫合端５ａが形成されていて上記手の平皮４００の背面人差指４の側端の縫合端５と共に縫合される。
【００１９】
上記指皮５００は前面中指６、前面薬指７、前面小指１２が一体に形成され、上記手の平皮４００上端の指端１１に縫合される。
【００２０】
上記親指皮１４は上記手の平皮４００の親指穴１０に縫合されるものであって、親指をはめられるように前面及び背面が一体に裁断される。
【００２１】
また、上記手の平皮４００下端にカウス６００がさらに縫合されて５本指タイプ作業用手袋が製作され、このように構成された本発明によれば、上記手の平皮４００の指端１１と前面人差指３間に上記指皮５００を指型に折り込んで裁縫し、上記手の平皮４００の縫合端５と上記背面皮３００の縫合端５ａとを位置を合わせて裁縫し、上記手の平皮４００の親指穴１に親指皮１４を裁縫することにより作業用手袋が形成される。
【００２２】
また、上記手の平皮４００と背面皮３００とが一体に裁縫された状態で下端にカウス６００が裁縫されることが望ましい。
【００２３】
したがって、上記手の平皮４００に縫合される指皮５００に中指６、薬指７、小指１２が一体に形成されることによって、従来の中指６と薬指７間にのみ存在した指間の空間が中指６、薬指７、小指１２間の空間に拡大されて中指６、薬指７、小指１２が余裕空間を共有するようになって、作業用手袋を着用したままで物をつかんだり握る作業を行なうに当って、指の動きが自由で手の疲労感を減らすことができ、かつ作業能率を向上させうる。
【００２４】
そして、上記指皮５００を多様な形態に切断・裁縫して多様な形態の手袋が製作できるが、本発明を望ましい実施例に基づいて詳細に説明すれば次の通りである。
【００２５】
図３ないし図５は、本発明の望ましい第１実施例において縫合点Ａ、Ｂ、Ｃがそれぞれ移動した空間が確保された５本指タイプ作業用手袋に係り、図面中Ａは背面人差指４と背面中指１０間の背面縫合点であり、Ｂは背面中指１０と背面薬指９間の背面縫合点であり、Ｃは背面薬指９と背面小指８間の背面縫合点であり、ａは指皮５００の中指６と薬指７との切断点であり、ｂは指皮５００の薬指７と小指１２との切断点である。
【００２６】
図３Ａないし図３Ｄに示されたように、上記手の平皮４００の前面人差指３と上記指皮５００の中指６とが同じ角度に合った同一角となり、上記指皮５００を指型に折り込んで上記手の平皮４００の指端１１に裁縫して作業用手袋を製作する。
【００２７】
したがって、上記手の平皮４００の前面人差指３と指皮５００の中指６とが同一角となった角度ほど背面人差指４と背面中指１０間の背面縫合点Ａが背面指の第１関節上に上がることによって、背面人差指４と背面中指１０間のうっとうしい感じが除去されて着用感がよくなり長時間作業しても疲労感をあまり感じられなくなる。
【００２８】
また、図４Ａないし図４Ｄに示されたように、上記指皮５００の中指６と薬指７との切断点ａが上記指皮５００の薬指７と小指１２との切断点ｂより上に位置して、上記指皮５００を指型に折り込んで手の平皮４００の指端１１に裁縫して作業用手袋を製作する。
【００２９】
したがって、上記指皮５００の中指６及び薬指７の切断点ａが指皮５００の薬指７及び小指１２の切断点ｂより上に位置したほど背面中指１０と背面薬指９間の背面縫合点Ｂが背面指の第１関節上に上がるようことによって、背面中指１０と背面薬指９間のうっとうしい感じが除去される。
【００３０】
また、図５Ａないし図５Ｄに示されたように、上記指皮５００の薬指７と小指１２との切断点ｂが指皮５００の中指６と薬指７との切断点ａより上に位置して、上記指皮５００を指型に折り込んで手の平皮４００の指端１１に裁縫して作業用手袋を製作することによって、背面縫合点Ｃが背面指の第１関節上に上がる。
【００３１】
したがって、背面薬指９と背面小指８間のうっとうしい感じが除去される。
【００３２】
一方、図６ないし図８は本発明の第１実施例において縫合点Ａ、Ｂ、縫合点Ｂ、Ｃ、縫合点Ａ、Ｃがそれぞれ移動した空間が確保された５本指タイプ作業用手袋に関するものである。
【００３３】
図６Ａないし図６Ｄに示されたように、本発明による縫合点Ａ、Ｂが移動した５本指タイプ作業用手袋は、上記手の平皮４００の前面人差指３と指皮５００の中指６とが同じ角度に合った同一角となり、指皮５００の中指６と薬指７との切断点ａが指皮５００の薬指７と小指１２との切断点ｂより上に位置して、指皮５００を指型に折り込んで手の平皮４００の指端１１に裁縫して作業用手袋が形成される。
【００３４】
したがって、上記手の平皮４００の前面人差指３と指皮５００の中指６とが同一角となった角度ほど背面人差指４と背面中指１０間の背面縫合点Ａが背面指の第１関節上に上がると同時に、上記指皮５００の中指６と薬指７との切断点ａが指皮５００の薬指７と小指１２との切断点ｂより上に位置したほど背面中指１０と背面薬指９間の背面縫合点Ｂが背面指の第１関節上に上がるようになって、背面人差指４と背面中指１０、背面中指１０と背面薬指９間のうっとうしい感じが除去される。
【００３５】
図７Ａないし図７Ｄに図示されたように、本発明による縫合点Ｂ、Ｃが移動した５本指タイプ作業用手袋は前述したように、上記指皮５００の中指６と薬指７との切断点ａ、指皮５００の薬指７と小指１２との切断点ｂいずれも背面縫合点Ａ上に位置し、結局には同じ高さに位置するようになって水平になり、指型に折り込んで手の平皮４００の指端１１に裁縫して作業用手袋を形成する。
【００３６】
したがって、縫合点Ｂ、Ｃいずれも背面指の第１関節上に上がる。
【００３７】
図８Ａないし図８Ｄに図示されたように、本発明による縫合点Ａ、Ｃが移動した５本指タイプ作業用手袋は前述したように、上記手の平皮４００の前面人差指３と指皮５００の中指６とが同じ角度に合った同一角となり、上記指皮５００の薬指７と小指１２との切断点ｂが上記指皮５００の中指６と薬指７との切断点ａ上に位置して、指型に折り込んで上記手の平皮４００の指端１１に裁縫して作業用手袋を形成する。
【００３８】
したがって、縫合点Ａ、Ｃいずれも背面指の第１関節上に上がる。
【００３９】
一方、図９Ａないし図９Ｄは、本発明の第１実施例において縫合点Ａ、Ｂ、Ｃいずれも移動した５本指タイプ作業用手袋に関するものであって、上記手の平皮４００の前面人差指３と指皮５００の中指６とが同じ角度に合った同一角となり、上記指皮５００の中指６と薬指７との切断点ａと上記指皮５００の薬指７と小指１２との切断点ｂいずれも既存位置より上に位置して水平になり、指型に折り込んで上記手の平皮４００の指端１１に裁縫して作業用手袋を形成する。
【００４０】
したがって、縫合点Ａ、Ｂ、Ｃいずれも背面指の第１関節上に上がる。
【００４１】
添付される図１０及び図１１は、本発明の第２実施例による空間が多く確保された作業用手袋に関するものであって、指の形成部が非常に短く形成された作業用手袋に関する。
【００４２】
図１０Ａないし図１０Ｄを参照すれば、上記に言及した手の平皮４００の裁断図で手の平皮４００の指端１１が前面人差指３の上方に移動し、指皮５００の切断線が内方に移動して背面皮３００と裁縫されることで手袋が製作されるが、手の平皮４００の指端１１が前面人差指３の上方に移動したほど指皮５００の内面が切断され、指皮５００を指型に折り込んで手の平皮４００の指端１１と裁縫し、指端１１が前面人差指３の上方に移動したほど各指の形成部が短くなり、手袋の人差指、中指、薬指、小指いずれも形成させることによって、手袋を着用したままで物をつかんだり握るのに難しさがなく、かつ指間の多くの余裕空間確保により指間のうっとうしい感じを除去した作業用手袋が製作できる。
【００４３】
図１１Ａないし図１１Ｄを参照すれば、本発明の第２実施例による空間が多く確保された作業用手袋においてカウス６００を長くして親指周囲に親指帯１５をさらに付着して溶接用手袋にも変形させて適用できる作業用手袋である。手の平皮４００の親指穴１に縫合される親指皮１４の縫合部分に上記親指帯１５を付着することによって作業途中で縫合糸が綻びることを防止し、また高温の火花により縫合糸が燃えないようにして手を保護する。
【００４４】
図１２は本発明の第３実施例による空間が確保された５本指手袋に係り、手の平皮と手の甲皮とが一体的な皮片に形成された５本指タイプ作業用手袋に関するものである。
【００４５】
図１２に図示されたように、本発明の第３実施例による空間が確保された５本指タイプ作業用手袋は上記手の平皮４００と背面皮３００とが一体に形成された一体的な皮片７００を備える。
【００４６】
上記一体的な皮片７００は、上記手の平皮４００の背面人差指４の側端に形成された縫合端５と背面皮３００の背面中指１０の側端に形成された縫合端５ａとがそれぞれ除去されて一体になった形態及び大きさに形成されたものである。
【００４７】
したがって、上記手の平皮４００と背面皮３００との縫合のために存在した裁縫線が除去されて一体に形成されることによって裁縫線による手の甲のうっとうしい感じが除去される。
【００４８】
図１３ないし図１５は、本発明の第３実施例において縫合点Ａ、縫合点Ｂ、縫合点Ｃがそれぞれ移動した空間が確保された５本指タイプ作業用手袋に関するものである。
【００４９】
図１３Ａないし図１３Ｄに図示されたように、上記一体的な皮片７００の前面人差指３と指皮５００の中指６とが同じ角度にあった同一角となり、上記指皮５００を指型に折り込んで上記一体的な皮片７００の指端１１に裁縫して作業用手袋を形成する。
【００５０】
したがって、上記一体的な皮片７００の前面人差指３と指皮５００の中指６とが同一角となった角度ほど背面人差指４と背面中指１０間の背面縫合点Ａが背面指の第１関節上に上がることによって、背面人差指４と背面中指１０間のうっとうしい感じが除去され、着用感がよくて長時間作業しても疲労感をあまり感じられなくなる。
【００５１】
また、図１４Ａないし図１４Ｄに図示されたように、上記指皮５００の中指６と薬指７との切断点ａが指皮５００の薬指７と小指１２との切断点ｂより上に位置して、上記指皮５００を指型に折り込んで上記一体的な皮片７００の指端１１に裁縫して作業用手袋を形成することによって、上記指皮５００の中指６と薬指７との切断点ａが指皮５００の薬指７と小指１２との切断点ｂより上に位置したほど背面中指１０と背面薬指９間の背面縫合点Ｂが背面指の第１関節上に上がる。
【００５２】
また、図１５Ａないし図１５Ｄに図示されたように、上記指皮５００の薬指７と小指１２との切断点ｂが指皮５００の中指６と薬指７との切断点ａより上に位置して、上記指皮５００を指型に折り込んで上記一体的な皮片７００の指端１１に裁縫して作業用手袋を形成することによって上記背面薬指９と背面小指８間の背面縫合点Ｃが背面指の第１関節上に上がる。
【００５３】
一方、図１６ないし図１８は、本発明の第３実施例において縫合点Ａ、Ｂ、縫合点Ｂ、Ｃ、縫合点Ａ、Ｃがそれぞれ移動した空間が確保された５本指タイプ作業用手袋に関するものである。
【００５４】
図１６Ａないし図１６Ｄを参考すれば、本発明の第３実施例において縫合点Ａ、Ｂが移動した５本指タイプ作業用手袋は、上記一体的な皮片７００の前面人差指３と上記指皮５００の中指６とが同じ角度にあった同一角となり、上記指皮５００の中指６と薬指７との切断点ａが上記指皮５００の薬指７と小指１２との切断点ｂより上に位置して、上記指皮５００を指型に折り込んで上記一体的な皮片７００の指端１１に裁縫して作業用手袋を形成する。
【００５５】
すなわち、上記一体的な皮片７００の前面人差指３と上記指皮５００の中指６とが同一角となった角度ほど背面人差指４と背面中指１０間の背面縫合点Ａが背面指の第１関節上に上がると同時に、上記指皮５００の中指６と薬指７との切断点ａが上記指皮５００の薬指７と小指１２との切断点ｂより上に位置したほど背面中指１０と背面薬指９間の背面縫合点Ｂが背面指の第１関節上に上がり、結局縫合点Ａ、Ｂいずれも背面指の第１関節上に上がる。
【００５６】
したがって、背面人差指４と背面中指１０間、背面中指１０と背面薬指９間のうっとうしい感じが除去されて着用感がよくなって長時間作業しても疲労感をあまり感じられなくなる。
【００５７】
図１７Ａないし図１７Ｄを参考すれば、本発明の第３実施例において縫合点Ｂ、Ｃが移動した５本指タイプ作業用手袋は、上記指皮５００の中指６と薬指７との切断点ａと上記指皮５００の薬指７と小指１２との切断点ｂいずれも背面縫合点Ａ上に位置し、結局には同じ高さに位置するようになって水平になり、指型に折り込んで上記一体的な皮片７００の指端１１に裁縫して手袋を形成することによって縫合点Ｂ、Ｃいずれも背面指の第１関節上に上がる。
【００５８】
図１８Ａないし図１８Ｄを参考すれば、本発明の第３実施例において縫合点ＡねＣが移動した５本指タイプ作業用手袋は、上記一体的な皮片７００の前面人差指３と上記指皮５００の中指６とが同じ角に合った同一角となり、上記指皮５００の薬指７と小指１２との切断点ｂが上記指皮５００の中指６と薬指７との切断点ａ上に位置して、上記指皮５００を指型に折り込んで上記一体的な皮片７００の指端１１に裁縫して手袋を形成することによって縫合点Ａ、Ｃが背面指の第１関節上に上がる。
【００５９】
一方、図１９Ａないし図１９Ｄは、本発明の第３実施例において縫合点Ａ、Ｂ、Ｃいずれも移動した５本指タイプ作業用手袋に関するものであって、上記一体的な皮片７００の前面人差指３と上記指皮５００の中指６とが同じ角度に合った同一角となり、上記指皮５００の中指６と薬指７との切断点ａと上記指皮５００の薬指７と小指１２の切断点ｂいずれも既存位置上に位置して水平になり、上記指皮５００を指型に折り込んで上記一体的な皮片７００の指端１１に裁縫して作業用手袋を形成することによって縫合点Ａ、Ｂ、Ｃいずれも背面指の第１関節上に上がる。
【００６０】
一方、図２０は本発明の第４実施例による手の平皮と手の甲皮との一体的な皮片形態を変化させた手の甲図、手の平図、裁断図、立体図をそれぞれ示したものである。
【００６１】
図２０Ａないし図２０Ｄを参考にすれば、本発明の第４実施例による５本指タイプ作業用手袋は指端、前面小指２、背面小指８、背面薬指９、背面中指１０、背面人差指４が一体に形成された一体的な皮片７００ａと、人差指１３、中指６、薬指７が形成された指皮５００ａとを具備して、上記指皮５００ａを指型に折り込んで上記一体的な皮片７００ａの指端に裁縫して作業用手袋を形成する。
【００６２】
これは前述した第３実施例と同様に手の平皮１００と背面皮３００とが分離されたものを一体的な皮片７００ａとする代わりに、前面人差指１３と背面人差指４間を裁縫することにより手刀部分の縫製線が除去され、かたい裁縫線によるうっとうしい感じがなくなって手の端部分を底面に接触して長時間作業を行っても手の痛みがなく、かつ手の疲労感をあまり感じられなくなる。
【００６３】
本発明の作業用手袋についての実施例を記述したが、カウス６００を長く調節して親指皮１４をさらに付着することによって溶接用手袋への適用が可能であり、また当業者が容易に想定できるあらゆる範囲を含むことができる。
【００６４】
また、一体的な皮片７００と指皮５００とは裁縫し合わせて手袋を製作することもできる。
【００６５】
本発明は添付された図面に図示された実施例を参考として説明されたが、これは例示的なものであって、当業者ならばこれより多様な変形及び均等な実施例が可能であるという点を理解できる。
【００６６】
したがって、本発明の真の保護範囲は特許請求の範囲のみにより限定されねばならない。
【産業上の利用可能性】
【００６７】
本発明は５本指タイプ作業用手袋及び溶接用手袋に適用できる。
【図面の簡単な説明】
【００６８】
【図１Ａ】従来の手袋を手の甲から見た図である。
【図１Ｂ】従来の手袋を手の平から見た図である。
【図１Ｃ】従来の手袋の裁断された状態での展開図である。
【図１Ｄ】従来の手袋の指皮の立体図である。
【図２Ａ】本発明に係る第１実施例の空間が確保された５本指タイプ作業用手袋を手の甲から見た図である。
【図２Ｂ】本発明に係る第１実施例の空間が確保された５本指タイプ作業用手袋を手の平から見た図である。
【図２Ｃ】本発明に係る第１実施例の空間が確保された５本指タイプ作業用手袋の裁断された状態での展開図である。
【図２Ｄ】本発明に係る第１実施例による空間が確保された５本指タイプ作業用手袋の指皮の立体図である。
【図３Ａ】本発明に係る第１実施例において縫合点Ａを移動させた構成を手の甲から見た図である。
【図３Ｂ】本発明に係る第１実施例において縫合点Ａを移動させた構成を手の平から見た図である。
【図３Ｃ】本発明に係る第１実施例において縫合点Ａを移動させた構成の裁断された状態での展開図である。
【図３Ｄ】本発明に係る第１実施例において縫合点Ａを移動させた構成の指皮の立体図である。
【図４Ａ】本発明に係る第１実施例において縫合点Ｂを移動させた構成を手の甲から見た図である。
【図４Ｂ】本発明に係る第１実施例において縫合点Ｂを移動させた構成を手の平から見た図である。
【図４Ｃ】本発明に係る第１実施例において縫合点Ｂを移動させた構成の裁断された状態での展開図である。
【図４Ｄ】本発明に係る第１実施例において縫合点Ｂを移動させた構成の指皮の立体図である。
【図５Ａ】本発明に係る第１実施例において縫合点Ｃを移動させた構成を手の甲から見た図である。
【図５Ｂ】本発明に係る第１実施例において縫合点Ｃを移動させた構成を手の平から見た図である。
【図５Ｃ】本発明に係る第１実施例において縫合点Ｃを移動させた構成の裁断された状態での展開図である。
【図５Ｄ】本発明に係る第１実施例において縫合点Ｃを移動させた構成の指皮の立体図である。
【図６Ａ】本発明に係る第１実施例において縫合点Ａ，Ｂを移動させた構成を手の甲から見た図である。
【図６Ｂ】本発明に係る第１実施例において縫合点Ａ，Ｂを移動させた構成を手の平から見た図である。
【図６Ｃ】本発明に係る第１実施例において縫合点Ａ，Ｂを移動させた構成の裁断された状態での展開図である。
【図６Ｄ】本発明に係る第１実施例において縫合点Ａ，Ｂを移動させた構成の指皮の立体図である。
【図７Ａ】本発明に係る第１実施例において縫合点Ｂ，Ｃを移動させた構成を手の甲から見た図である。
【図７Ｂ】本発明に係る第１実施例において縫合点Ｂ，Ｃを移動させた構成を手の平から見た図である。
【図７Ｃ】本発明に係る第１実施例において縫合点Ｂ，Ｃを移動させた構成の裁断された状態での展開図である。
【図７Ｄ】本発明に係る第１実施例において縫合点Ｂ，Ｃを移動させた構成の指皮の立体図である。
【図８Ａ】本発明に係る第１実施例において縫合点Ａ，Ｃを移動させた構成を手の甲から見た図である。
【図８Ｂ】本発明に係る第１実施例において縫合点Ａ，Ｃを移動させた構成を手の平から見た図である。
【図８Ｃ】本発明に係る第１実施例において縫合点Ａ，Ｃを移動させた構成の裁断された状態での展開図である。
【図８Ｄ】本発明に係る第１実施例において縫合点Ａ，Ｃを移動させた構成の指皮の立体図である。
【図９Ａ】本発明に係る第１実施例において縫合点Ａ，Ｂ，Ｃを移動させた構成を手の甲から見た図である。
【図９Ｂ】本発明に係る第１実施例において縫合点Ａ，Ｂ，Ｃを移動させた構成を手の平から見た図である。
【図９Ｃ】本発明に係る第１実施例において縫合点Ａ，Ｂ，Ｃを移動させた構成の裁断された状態での展開図である。
【図９Ｄ】本発明に係る第１実施例において縫合点Ａ，Ｂ，Ｃを移動させた構成の指皮の立体図である。
【図１０Ａ】本発明に係る第２実施例の空間が確保された５本指タイプ作業用手袋を手の甲から見た図である。
【図１０Ｂ】本発明に係る第２実施例の空間が確保された５本指タイプ作業用手袋を手の平から見た図である。
【図１０Ｃ】本発明に係る第２実施例の空間が確保された５本指タイプ作業用手袋の裁断された状態での展開図である。
【図１０Ｄ】本発明に係る第２実施例による空間が確保された５本指タイプ作業用手袋の指皮の立体図である。
【図１１Ａ】本発明に係る第２実施例の空間が確保された５本指タイプ作業用手袋においてカウスを長くし、かつ親指帯がさらに付着された構成を手の甲から見た図である。
【図１１Ｂ】本発明に係る第２実施例の空間が確保された５本指タイプ作業用手袋においてカウスを長くし、かつ親指帯がさらに付着された構成を手の平から見た図である。
【図１１Ｃ】本発明に係る第２実施例の空間が確保された５本指タイプ作業用手袋においてカウスを長くし、かつ親指帯がさらに付着された構成の裁断された状態での展開図である。
【図１１Ｄ】本発明に係る第２実施例の空間が確保された５本指タイプ作業用手袋においてカウスを長くし、かつ親指帯がさらに付着された構成の指皮の立体図である。
【図１２Ａ】本発明に係る第３実施例の手の平皮と手の甲皮とが一体的な皮片で形成された５本指タイプ作業用手袋を手の甲から見た図である。
【図１２Ｂ】本発明に係る第３実施例の手の平皮と手の甲皮とが一体的な皮片で形成された５本指タイプ作業用手袋を手の甲から見た図である。
【図１２Ｃ】本発明に係る第３実施例の手の平皮と手の甲皮とが一体的な皮片で形成された５本指タイプ作業用手袋の裁断された状態での展開図である。
【図１２Ｄ】本発明に係る第３実施例の手の平皮と手の甲皮とが一体的な皮片に形成された５本指タイプ作業用手袋の指皮の立体図である。
【図１３Ａ】本発明に係る第３実施例において縫合点Ａを移動させた構成を手の甲から見た図である。
【図１３Ｂ】本発明に係る第３実施例において縫合点Ａを移動させた構成を手の平から見た図である。
【図１３Ｃ】本発明に係る第３実施例において縫合点Ａを移動させた構成の裁断された状態での展開図である。
【図１３Ｄ】本発明に係る第３実施例において縫合点Ａを移動させた構成の指皮の立体図である。
【図１４Ａ】本発明に係る第３実施例において縫合点Ｂを移動させた構成を手の甲から見た図である。
【図１４Ｂ】本発明に係る第３実施例において縫合点Ｂを移動させた構成を手の平から見た図である。
【図１４Ｃ】本発明に係る第３実施例において縫合点Ｂを移動させた構成の裁断された状態での展開図である。
【図１４Ｄ】本発明に係る第３実施例において縫合点Ｂを移動させた構成の指皮の立体図である。
【図１５Ａ】本発明に係る第３実施例において縫合点Ｃを移動させた構成を手の甲から見た図である。
【図１５Ｂ】本発明に係る第３実施例において縫合点Ｃを移動させた構成を手の平から見た図である。
【図１５Ｃ】本発明に係る第３実施例において縫合点Ｃを移動させた構成の裁断された状態での展開図である。
【図１５Ｄ】本発明に係る第３実施例において縫合点Ｃを移動させた構成の指皮の立体図である。
【図１６Ａ】本発明に係る第３実施例において縫合点Ａ，Ｂを移動させた構成を手の甲から見た図である。
【図１６Ｂ】本発明に係る第３実施例において縫合点Ａ，Ｂを移動させた構成を手の平から見た図である。
【図１６Ｃ】本発明に係る第３実施例において縫合点Ａ，Ｂを移動させた構成の裁断された状態での展開図である。
【図１６Ｄ】本発明に係る第３実施例において縫合点Ａ，Ｂを移動させた構成の指皮の立体図である。
【図１７Ａ】本発明に係る第３実施例において縫合点Ｂ，Ｃを移動させた構成を手の甲から見た図である。
【図１７Ｂ】本発明に係る第３実施例において縫合点Ｂ，Ｃを移動させた構成を手の平から見た図である。
【図１７Ｃ】本発明に係る第３実施例において縫合点Ｂ，Ｃを移動させた構成の裁断された状態での展開図である。
【図１７Ｄ】本発明に係る第３実施例において縫合点Ｂ，Ｃを移動させた構成の指皮の立体図である。
【図１８Ａ】本発明に係る第３実施例において縫合点Ａ，Ｃを移動させた構成を手の甲から見た図である。
【図１８Ｂ】本発明に係る第３実施例において縫合点Ａ，Ｃを移動させた構成を手の平から見た図である。
【図１８Ｃ】本発明に係る第３実施例において縫合点Ａ，Ｃを移動させた構成の裁断された状態での展開図である。
【図１８Ｄ】本発明に係る第３実施例において縫合点Ａ，Ｃを移動させた構成の指皮の立体図である。
【図１９Ａ】本発明に係る第３実施例において縫合点Ａ，Ｂ，Ｃを移動させた構成を手の甲から見た図である。
【図１９Ｂ】本発明に係る第３実施例において縫合点Ａ，Ｂ，Ｃを移動させた構成を手の平から見た図である。
【図１９Ｃ】本発明に係る第３実施例において縫合点Ａ，Ｂ，Ｃを移動させた構成の裁断された状態での展開図である。
【図１９Ｄ】本発明に係る第３実施例において縫合点Ａ，Ｂ，Ｃを移動させた構成の指皮の立体図である。
【図２０Ａ】本発明に係る第４実施例の手の平皮と手の甲皮との一体的な皮片形態を変化させた５本指タイプ作業用手袋を手の甲から見た図である。
【図２０Ｂ】本発明に係る第４実施例の手の平皮と手の甲皮との一体的な皮片形態を変化させた５本指タイプ作業用手袋を手の平から見た図である。
【図２０Ｃ】本発明に係る第４実施例の手の平皮と手の甲皮との一体的な皮片形態を変化させた５本指タイプ作業用手袋の裁断された状態での展開図である。
【図２０Ｄ】本発明に係る第４実施例の手の平皮と手の甲皮との一体的な皮片形態を変化させた５本指タイプ作業用手袋の指皮の立体図である。
【符号の説明】
【００６９】
１  親指穴
２  前面小指
３  前面人差指
４  背面人差指
５、５ａ  縫合端
６  中指
７  薬指
８  背面小指
９  背面薬指
１０  背面中指
１１  指端
１２  小指
１３  人差指
１４  親指皮
１５  親指帯
１００、４００  手の平皮
２００、５００、５００ａ  指皮
３００  手の甲皮
６００  カウス
７００、７００ａ  一体的な皮片
【図１Ａ】
2004204427.tif 000003
【図１Ｂ】
2004204427.tif 000004
【図１Ｃ】
2004204427.tif 000005
【図１Ｄ】
2004204427.tif 000006
【図２Ａ】
2004204427.tif 000007
【図２Ｂ】
2004204427.tif 000008
【図２Ｃ】
2004204427.tif 000009
【図２Ｄ】
2004204427.tif 000010
【図３Ａ】
2004204427.tif 000011
【図３Ｂ】
2004204427.tif 000012
【図３Ｃ】
2004204427.tif 000013
【図３Ｄ】
2004204427.tif 000014
【図４Ａ】
2004204427.tif 000015
【図４Ｂ】
2004204427.tif 000016
【図４Ｃ】
2004204427.tif 000017
【図４Ｄ】
2004204427.tif 000018
【図５Ａ】
2004204427.tif 000019
【図５Ｂ】
2004204427.tif 000020
【図５Ｃ】
2004204427.tif 000021
【図５Ｄ】
2004204427.tif 000022
【図６Ａ】
2004204427.tif 000023
【図６Ｂ】
2004204427.tif 000024
【図６Ｃ】
2004204427.tif 000025
【図６Ｄ】
2004204427.tif 000026
【図７Ａ】
2004204427.tif 000027
【図７Ｂ】
2004204427.tif 000028
【図７Ｃ】
2004204427.tif 000029
【図７Ｄ】
2004204427.tif 000030
【図８Ａ】
2004204427.tif 000031
【図８Ｂ】
2004204427.tif 000032
【図８Ｃ】
2004204427.tif 000033
【図８Ｄ】
2004204427.tif 000034
【図９Ａ】
2004204427.tif 000035
【図９Ｂ】
2004204427.tif 000036
【図９Ｃ】
2004204427.tif 000037
【図９Ｄ】
2004204427.tif 000038
【図１０Ａ】
2004204427.tif 000039
【図１０Ｂ】
2004204427.tif 000040
【図１０Ｃ】
2004204427.tif 000041
【図１０Ｄ】
2004204427.tif 000042
【図１１Ａ】
2004204427.tif 000043
【図１１Ｂ】
2004204427.tif 000044
【図１１Ｃ】
2004204427.tif 000045
【図１１Ｄ】
2004204427.tif 000046
【図１２Ａ】
2004204427.tif 000047
【図１２Ｂ】
2004204427.tif 000048
【図１２Ｃ】
2004204427.tif 000049
【図１２Ｄ】
2004204427.tif 000050
【図１３Ａ】
2004204427.tif 000051
【図１３Ｂ】
2004204427.tif 000052
【図１３Ｃ】
2004204427.tif 000053
【図１３Ｄ】
2004204427.tif 000054
【図１４Ａ】
2004204427.tif 000055
【図１４Ｂ】
2004204427.tif 000056
【図１４Ｃ】
2004204427.tif 000057
【図１４Ｄ】
2004204427.tif 000058
【図１５Ａ】
2004204427.tif 000059
【図１５Ｂ】
2004204427.tif 000060
【図１５Ｃ】
2004204427.tif 000061
【図１５Ｄ】
2004204427.tif 000062
【図１６Ａ】
2004204427.tif 000063
【図１６Ｂ】
2004204427.tif 000064
【図１６Ｃ】
2004204427.tif 000065
【図１６Ｄ】
2004204427.tif 000066
【図１７Ａ】
2004204427.tif 000067
【図１７Ｂ】
2004204427.tif 000068
【図１７Ｃ】
2004204427.tif 000069
【図１７Ｄ】
2004204427.tif 000070
【図１８Ａ】
2004204427.tif 000071
【図１８Ｂ】
2004204427.tif 000072
【図１８Ｃ】
2004204427.tif 000073
【図１８Ｄ】
2004204427.tif 000074
【図１９Ａ】
2004204427.tif 000075
【図１９Ｂ】
2004204427.tif 000076
【図１９Ｃ】
2004204427.tif 000077
【図１９Ｄ】
2004204427.tif 000078
【図２０Ａ】
2004204427.tif 000079
【図２０Ｂ】
2004204427.tif 000080
【図２０Ｃ】
2004204427.tif 000081
【図２０Ｄ】
2004204427.tif 000082